(57)【特許請求の範囲】
【請求項１】
樋状ないし逆樋状の電線導出壁と板状の電線支持壁とを対向して備え、該電線導出壁と該電線支持壁とが少なくとも各二本のテープ滑り止め用のリブを電線導出方向に並列に有し、該電線導出壁の各リブが電線径方向に同じ突出高さで位置し、該電線支持壁の先頭のリブが該電線支持壁の二番目のリブよりも電線径方向に長く突出して位置し、該電線導出壁と該電線支持壁とに複数本の電線がテープ巻きで固定された状態で、該電線導出壁の各リブに沿うテープ巻き部分と該電線支持壁の各リブに沿うテープ巻き部分とが平行ないし略平行に位置していることを特徴とするテープ巻き用電線導出部構造。
【請求項２】
前記電線支持壁が板厚方向の可撓性を有し、該電線支持壁が前記テープ巻きで内向きに撓んだ状態で、前記電線導出壁の各リブに沿うテープ巻き部分と前記電線支持壁の各リブに沿うテープ巻き部分とが平行ないし略平行に位置していることを特徴とする請求項１記載のテープ巻き用電線導出部構造。
【発明の詳細な説明】
【技術分野】
【０００１】
本発明は、例えば自動車の電気接続箱等における導出されたワイヤハーネスをテープ巻きで固定させるテープ巻き用電線導出部構造に関するものである。
【背景技術】
【０００２】
従来、電気接続箱の電線導出部にワイヤハーネス（複数本の電線）をテープ巻きで固定するために、種々のテープ巻き用電線導出部構造が提案されている。
【０００３】
例えば、特許文献１（図示せず）には、ヒューズやリレー等の電気部品を装着した接続ブロックをロアケース内に挿入し、ロアケースにアッパカバーを装着して構成される電気接続箱において、電線導出部として、接続ブロックは逆樋状の上側固定片を有し、ロアケースは樋状の下側固定片を有し、接続ブロックの各電気部品に接続した各電線をワイヤハーネスとして上側固定片と下側固定片との間に挿通させて、テープ巻きで上側固定片と下側固定片に固定したことが記載されている。
【０００４】
上記以外のテープ巻き用電線導出部構造として、図６に示すテープ巻き用電線導出部構造がある。この構造は、不図示の接続ブロックを収容するフレーム４１と、フレーム４１に装着されるロアカバー４２と不図示のアッパカバーとを備える電気接続箱において、接続ブロックの各電気部品に続く複数本の電線をワイヤハーネス４３として、フレーム４１の逆樋状の電線導出壁４４とロアカバー４２の板状の電線支持壁４５とに沿って外部に導出し、電線導出壁４４と電線支持壁４５とで成る電線導出部４６をワイヤハーネス４３と共に複数回テープ巻き４７するものである。
【０００５】
電線支持壁４５は電線導出部４６内の電線４３ａの収容量の変動に対応するべくテープ巻き時に上下（板厚方向）に撓み可能である。電線導出壁４４は外周面に、電線支持壁４５は下面（外面）にそれぞれテープ滑り止め用の複数（本例で各二本）のリブ４８，４９を電線挿通方向に並列に有している。
【先行技術文献】
【特許文献】
【０００６】
【特許文献１】特開２００７−２８８０６号公報（図１，図２，図６）
【発明の概要】
【発明が解決しようとする課題】
【０００７】
しかしながら、上記従来の図６のテープ巻き用電線導出部構造にあっては、例えば電線導出部４６を図６の如く先細りのテーパ状に形成した場合に、テープ巻き形状が先細りのテーパ状になって、テープずれ（テープ抜け）を起こしやすいという懸念があった。
【０００８】
また、電線導出部４６が先細りのテーパ状になっていない場合でも、例えば電線導出部４６における電線の収容量が少ない場合に、電線支持壁４５が内向き（上向き）に撓んで傾斜し、電線支持壁４５のテープ滑り止め用のリブ４９が電線支持壁４５と一体に上向きに傾斜して、電線導出部４６とワイヤハーネス４３とに巻いたテープ４７が先細りのテーパ状となってテープずれ（テープ抜け）を起こしやすいという懸念があった。
【０００９】
テープずれを起こした場合には、電線導出部４６へのワイヤハーネス４３の固定力が低下して、ワイヤハーネス４３と電線導出部４６とが擦れを生じたり、テープずれで生じた隙間から内部に水等が侵入し兼ねないという懸念があった。この懸念は電気接続箱の電線導出部に限らず、例えば不図示のハーネスプロテクタ等の電線導出部においても同様に生じ得るものである。
【００１０】
本発明は、上記した点に鑑み、例えば電線導出部を先細りのテーパ状に形成した場合や、電線収容量を吸収するべく電線導出部の電線支持壁を内向きに傾斜状に撓み可能とした場合でも、テープずれを生じにくいテープ巻き用電線導出部構造を提供することを目的とする。
【課題を解決するための手段】
【００１４】
上記目的を達成するために、本発明の請求項１に係るテープ巻き用電線導出部構造は、樋状ないし逆樋状の電線導出壁と板状の電線支持壁とを対向して備え、該電線導出壁と該電線支持壁とが少なくとも各二本のテープ滑り止め用のリブを電線導出方向に並列に有し、該電線導出壁の各リブが電線径方向に同じ突出高さで位置し、該電線支持壁の先頭のリブが該電線支持壁の二番目のリブよりも電線径方向に長く突出して位置し、該電線導出壁と該電線支持壁とに複数本の電線がテープ巻きで固定された状態で、該電線導出壁の各リブに沿うテープ巻き部分と該電線支持壁の各リブに沿うテープ巻き部分とが平行ないし略平行に位置していることを特徴とする。
【００１５】
上記構成により、電線支持壁の先頭すなわち先端側のリブの突出長さが二番目のリブの突出長さよりも長く形成されているので、電線導出壁に対して電線支持壁が先端に向かうにつれてテーパ状に内向きに傾倒している場合でも、電線支持壁の先頭のリブの突出先端と二番目のリブの突出先端とを結ぶ仮想直線と、電線導出壁の各リブの突出先端を結ぶ仮想直線とが平行ないし略平行に位置し、複数本の電線（ワイヤハーネス）を電線導出壁と電線支持壁とで成る電線導出部にテープ巻きした際に、テープが電線導出壁の各リブの突出先端（例えば上端）と、電線支持壁の各リブの突出先端（例えば）下端とに沿って平行ないし略平行に位置することで、テープの前後方向（電線長手方向）のずれが防止される。
【００１６】
請求項２に係るテープ巻き用電線導出部構造は、請求項１記載のテープ巻き用電線導出部構造において、前記電線支持壁が板厚方向の可撓性を有し、該電線支持壁が前記テープ巻きで内向きに撓んだ状態で、前記電線導出壁の各リブに沿うテープ巻き部分と前記電線支持壁の各リブに沿うテープ巻き部分とが平行ないし略平行に位置していることを特徴とする。
【００１７】
上記構成により、テープ巻き時に電線支持壁が電線径方向内向きに撓んで電線導出壁内の電線の収容量を吸収し、電線導出壁の内面と電線支持壁の内面とに複数本の電線の外周面を密着させる。その状態で、電線支持壁の先頭のリブの突出先端と二番目のリブの突出先端とを結ぶ仮想直線と、電線導出壁の各リブの突出先端を結ぶ仮想直線とが平行ないし略平行に位置し、テープが電線導出壁の各リブの突出先端（例えば上端）と、電線支持壁の各リブの突出先端（例えば）下端とに沿って平行ないし略平行に位置することで、テープの前後方向（電線長手方向）のずれが防止される。
【発明の効果】
【００１９】
請求項１記載の発明によれば、例えば電線導出部と電線支持壁とで成る電線導出部を先細りのテーパ状に形成した場合でも、テープを電線支持壁の突出長さの長い先頭のリブに沿ってテーパ状ではなく電線径方向に平行ないし略平行に巻き付けることで、テープずれを防ぐことができ、テープずれに起因するワイヤハーネスの固定性の低下や水等の侵入を防止することができる。
【００２０】
請求項２記載の発明によれば、電線収容量を吸収するべく電線支持壁を内向きに傾斜状に撓み可能とした場合でも、テープを電線支持壁の突出長さの長い先頭のリブに沿ってテーパ状ではなく電線径方向に平行ないし略平行に巻き付けることで、テープずれを防ぐことができ、テープずれに起因するワイヤハーネスの固定性の低下や水等の侵入を防止することができる。
【図面の簡単な説明】
【００２１】
【図１】本発明に係るテープ巻き用電線導出部構造の一実施形態を含む電気接続箱の一形態を示す分解斜視図である。
【図２】同じくテープ巻き用電線導出部構造の組立状態を示す斜視図である。
【図３】同じくテープ巻き用電線導出部構造を示す下面図である。
【図４】ワイヤハーネスを挿通させたテープ巻き用電線導出部構造を示す側面図である。
【図５】同じくワイヤハーネスをテープ巻きで固定した状態を示す側面図である。
【図６】従来のテープ巻き用電線導出部構造の一形態を示す側面図である。
【発明を実施するための形態】
【００２２】
図１〜図５は、本発明に係るテープ巻き用電線導出部構造の一実施形態を示すものである。
【００２３】
図１の如く、このテープ巻き用電線導出部構造は、例えばヒューズブロックといった電気接続箱１におけるものであり、電気接続箱１は、合成樹脂製のフレーム２と、フレーム２内に下方から挿着される絶縁樹脂製の接続ブロック３と、フレーム２の下側に装着されて下部開口を塞ぐ合成樹脂製のロアカバー４と、フレーム２の上側に装着されて上部開口２ａを塞ぐ合成樹脂製の不図示のアッパカバーとを備えている。
【００２４】
フレーム２は、上下に貫通した内部空間（ブロック収容空間）２ｂをなす垂直な周壁５と、周壁５から一体に略水平に前方に突出した逆樋状（縦断面逆Ｕ字状）の電線導出壁６とを備えている。
【００２５】
図２の如く、電線導出壁６は上側の湾曲壁部７と左右の垂直な側壁部８とで成り、湾曲壁部７から両側の側壁部８の上半側にかけて外周面にテープ滑り止め用の複数（本例で二本）のリブ１２（１２1，１２2）を電線挿通方向（前後方向）に並列（平行）に有している。電線導出壁６の両側壁８の前端側下部には例えば後述のロアカバー４の電線支持壁２１の上向きの撓みを促進させる空間としての切欠部１１が設けられている。
【００２６】
切欠部１１の上辺部１１ａは電線導出壁６の先端（前端）６ａに直交して続き、後辺部１１ｂは図１の側壁８の水平な短い下辺部８ａに続き、下辺部８ａは下側の傾斜辺部８ｂに続き、傾斜辺部８ｂは後方の下向きの凸壁部８ｃに続き、凸壁部８ｃは後方の長い下辺部８ｄに続いている。短い下辺部８ａと傾斜辺部８ｂとでロアカバー係合用の段差部１３をなしている。
【００２７】
電線導出壁６の基端側には車両ボディへのフレーム固定用のブラケット１４が設けられている。電線導出壁６内の空間（電線挿通空間）はフレーム周壁５の略逆Ｕ字状の不図示の開口を経て周壁５内の空間２ｂに連通している。なお、明細書で前後左右の方向性は説明の便宜上のものであり、必ずしも電気接続箱１の取付方向と一致するとは限らない。
【００２８】
図１の如く、ロアカバー４は、底壁１５と底壁１５から立ち上げられた左右の側壁１６とを有し、側壁１６に、係止手段であるフレーム２のロック片（係止部）１７に対するロック枠片（係合部）１８が設けられ、底壁１５は前側において傾斜状に立ち上げられて傾斜底壁１９（図２）をなし、傾斜底壁１９の片側で側壁１６の上部が凹状に切欠され（凹部を符号２０で示す）、傾斜底壁１９の上端から略水平にハーネス支持用の矩形平板状の電線支持壁２１が前向き（外向き）に突出形成されている。
【００２９】
電線支持壁２１の後半部２１ｂは左右両側に低背な傾斜状の側壁２２を有し、電線支持壁２１の前半部２１ａは側壁のない平板状に形成されている。少なくとも電線支持壁２１の前半部２１ａは板厚方向（上下方向）の可撓性を有している。
【００３０】
図２の如く、電線支持壁２１の下面にテープ滑り止め用の複数（本例で三本）のリブ２３（２３1，２３2，２３3）が電線挿通方向（前後方向）に並列（平行）に突出形成されている。各リブ２３は電線導出壁６側の各リブ１２と同様に樹脂成形で電線支持壁２１と一体に形成されている。
【００３１】
図４で後述する如く、図２の電線支持壁２１の前半部２１ａに二本のリブ２３1，２３2が配置され、電線支持壁２１の後半部２１ｂに一本のリブ２３3が配置され、前半部２１ａの先頭のリブ２３1は他のリブ２３2，２３3よりも下向きに長く突出形成されている。各リブ２３は円弧状の下端面２３ａを有し、先頭のリブ２３1は円弧状の下端面に続く左右両側の短い垂直な側面２３ｂを有している。
【００３２】
図２の如く、ロアカバー４の側壁１６の上端部はフレーム２の側壁５ａの下端部に接合し、傾斜底壁１９は電線導出壁６の後半の傾斜辺部８ｂ（図１）に接合し、傾斜底壁１９の後側の凹部２０（図１）に凸壁部８ｃ（図１）が接合し、短い水平な下辺部８ａ（図１）に電線支持壁６の後半部６ｂの低背な傾斜リブ状の側壁２２（図１）が接合し、切欠部１１の下側に電線支持壁２１の前半部２１ａが位置する。電線導出壁６と電線支持壁２１とで電線導出部２４が構成される。電線支持壁６の後半部６ｂと傾斜底壁１９とが電線導出壁６の下側の段差部１３（図１）に当接係合することで、電線支持壁６のぐらつきや位置ずれが阻止される。
【００３３】
図３（下面図）の如く、電線支持壁２１の前半部２１ａは電線導出壁６の左右の側壁８の外幅や内幅（内面を符号８ｅで示す）よりも幅狭に形成されて、板厚方向（上下方向）の可撓性を有している。電線支持壁２１の先端（前端）２１ａ'は電線導出壁６の先端（前端）６ａ（図２）と同一垂直面上に位置する。符号２２は後半部２１ｂの傾斜リブ状の側壁を示す。
【００３４】
電線支持壁２１の前半部２１ａの先頭のテープ滑り止め用のリブ２３1は他のリブ２３2，２３3よりも前後方向に厚肉に形成され、先頭のリブ２３1の左右方向幅は他のリブ２３2，２３3と同様に電線支持壁２１の前半部２１ａの幅と同じに設定されている。先頭のリブ２３1は電線支持壁２１の前端２１ａ’よりも少し後方に配置され、中間（二番目）のリブ２３2は電線支持壁２１の前半部２１ａと後半部２１ｂとの境界に配置され、三番目のリブ２３3は電線支持壁２１の後半部２１ｂの後端寄りに配置され、各リブ２３は前後方向に等ピッチで配置されている。
【００３５】
図１の如く、接続ブロック３は、上側にヒュージブルリンク装着部２８やコネクタ装着部２９や不図示のリレー装着部やヒューズ装着部等を有し、これらヒュージブルリンクやリレーやヒューズといった不図示の電気部品に接続された電線や、コネクタから導出された電線が下向きに導出されてロアカバー４で保護されつつワイヤハーネス２５（図４）として電線導出部２４から外部に導出される。
【００３６】
図４の如く、電線支持壁２１の前半部２１ａの先頭のリブ２３1の下向きの突出長さＨ1は他の二つのリブ２３2，２３3の下向きの突出長さＨ2，Ｈ3よりも長く設定されている。図４の例では、テープを巻かない自由状態で、電線支持壁２１が先端（前端）２１ａ’に向かうにつれて漸次上向きに少し傾斜して形成されているが、先頭のリブ２３1の下端２３ａの高さは二番目のリブ２３2の下端２３ａの高さよりも低く設定されている（先頭のリブ２３1の下端２３ａは二番目のリブ２３2の下端２３ａよりも下方に長く突出している）。
【００３７】
三番目のリブ２３3は電線支持壁２１の後半部２１ｂの低い基端側に配置されている関係で、先頭のリブ２３1の下端２３ａの高さと三番目のリブ２３3の下端２３ａの高さとはほぼ同程度になっているが、先頭のリブ２３1の下端２３ａの高さは三番目のリブ２３3の下端２３ａの高さよりも低い（先頭のリブ２３1の下端２３ａは三番目のリブ２３3の下端２３ａよりも下方に長く突出している）ことが好ましい。図５の如く、三番目のリブ２３３は補助的なものであり、テープ巻きをしない場合もあり得る。
【００３８】
フレーム２の電線導出壁６の前後二つの各リブ１２1，１２2の上向きの突出高さ（長さ）Ｈ4は同じに設定されている。電線導出壁６の上壁７の頂部は水平であり、二つの各リブ１２1，１２2の上端１２ａは仮想の水平線Ｌ1上に位置している。上側且つ前側のリブ１２1の下方に（ほぼ同一垂直線上に）下側の先頭のリブ２３1が位置し、上側且つ後側のリブ１２2の下方において少し後方に下側の二番目のリブ２３2が位置している。
【００３９】
本例の下側の先頭のリブ２３1の下端２３ａと二番目のリブ２３2の下端２３ａとを結ぶ不図示の仮想直線は水平よりも少し前下がりに傾斜して位置し、先頭のリブ２３1の下端２３ａと三番目のリブ２３3の下端２３ａとを結ぶ仮想直線Ｌ2はほぼ水平に位置する。自由状態で電線支持壁２１の上面（内面）２１ｃと下面（外面）は少し前上がりに傾斜しているので、電線支持壁２１の下面の延長線Ｌ3は少し前上がりに傾斜して位置する。電線導出壁６の上側の二本のリブ１２1，１２2の上端１２ａを結ぶ仮想直線Ｌ1と、下側の先頭のリブ２３1の下端２３ａと三番目のリブ２３3の下端２３ａとを結ぶ仮想直線Ｌ2とは平行ないし略平行に位置する。
【００４０】
図４でワイヤハーネス２５は便宜上短く図示しているが、実際には長く延長されて不図示の車両の各電装品（負荷側）等にコネクタ接続される。ワイヤハーネス２５をなす各電線２６は上下左右の複数列に配置されている（左右方向の奥側の電線を符号２６1で示す）。
【００４１】
図５の如く、電線導出壁６と電線支持壁２１とで成る電線導出部２４の外周面とワイヤハーネス２５の外周面とに合成樹脂製の片面粘着性のテープ２７を連続して複数回巻き付けて、ワイヤハーネス２５を電線導出部２４に固定し、且つ電線導出部２４とワイヤハーネス２５との間の隙間をなくして防水する。
【００４２】
テープ２７を強く巻き付けた際に、電線支持壁２１の前半部２１ａは上向きに撓んでワイヤハーネス２５の下端面に密着するが、その際に、テープ滑り止め用の先頭のリブ２３1（図４）の下端２３ａの高さが二番目のリブ２３2の下端２３ａの高さとほぼ同一の仮想水平線上に位置して、テープ巻き２７の上端２７ａと下端２７ｂとが平行（水平）ないし略平行になって、すなわち電線導出壁６の各リブ１２に沿うテープ巻き部分２７ａと電線支持壁２１の各リブ２３に沿うテープ巻き部分２７ｂとが平行ないし略平行になって、従来のように先細りのテーパ状にならずに、テープ２７の前後方向のずれや外れが防止される。
【００４３】
例えば従来（図６）のように、電線導出壁の上端面に対して電線支持壁の下端面が先細りにテーパ状に形成されている場合でも、図４の如く、電線支持壁２１の先頭のリブ２３1の突出長さＨ1を二番目のリブ２３2の突出長さＨ2よりも長く設定し、電線支持壁２１の自由状態（テープ巻き前の状態）で、あるいは図５のテープ巻きされた状態で、先頭のリブ２３1の下端２３ａと二番目のリブ２３2の下端２３ａとを結ぶ仮想直線Ｌ2と上側の各リブ１２の上端１２ａを結ぶ仮想直線Ｌ1とが平行（水平）ないし略平行になるようにすることで、テープ巻き２７の上端２７ａと下端２７ｂとが平行（水平）ないし略平行に位置して、すなわち電線導出壁６の各リブ１２に沿うテープ巻き部分２７ａと電線支持壁２１の各リブ２３に沿うテープ巻き部分２７ｂとが平行ないし略平行に位置して、同様にテープ２７の前後方向のずれや外れが防止される。
【００４４】
図４において、上側の各リブ１２の上端１２ａを結ぶ仮想直線Ｌ1と、テープ巻き後の下側の先頭と二番目の各リブ２３1，２３2の各下端２３ａを結ぶ仮想直線Ｌ2とは必ずしも水平でなくともよく、平行に傾斜していてもよい（平行であればよい）。テープ２７は上下の各リブ１２，２３の突出先端１２ａ，２３ａと各リブ１２，２３間の面（電線導出壁６の外面と電線支持壁２１の下面）に接着される。テープ２７の巻付け方向は電線導出壁６側から初めてワイヤハーネス２５側で終わってもよく、その逆であってもよい。
【００４５】
図５において、電線支持壁２１の三番目（後端側）のリブ２３3には上側且つ後側のリブ１２2から斜め後向きにテープ巻きを施してもよい。ブラケット１４の関係で上側（電線導出壁６）に三番目のリブを設けていないが、ブラケット１４に代えて上側に三番目のリブを他の上側のリブ１２と同じ高さに設けた場合は、テープ巻き２７の上端２７ａと下端２７ｂとが平行ないし略平行になるように、電線支持壁２１の三番目のリブ２３3を二番目のリブ２３2と同じ突出長さないしそれよりも短く突出形成することが好ましい。
【００４６】
なお、上記実施形態においては、例えば自動車のエンジンルームに電気接続箱１を配置した際の上からの洗浄水に対する防水性を高めるために、逆樋状の電線導出壁６を上側に配置し、板状の電線支持壁２１を下側に配置したが、防水の必要のない部位に電気接続箱１を配置する場合は、ロアカバー４に樋状（Ｕ字状）の下側の電線導出壁（６）を設け、フレーム４に上側の電線支持壁（２１）を設けることも可能である。
【００４７】
また、上記実施形態においては、フレーム２とロアカバー４とを別体に設けて、電線導出壁６と電線支持壁２１とを別体に形成したが、例えば、フレーム２とロアカバー４とを一体にしたような接続箱本体ないしケースに電線導出壁６と電線支持壁２１とを上下に一体に設けた場合においても、電線支持壁６に突出長さの異なるテープ滑り止め用の複数のリブ２３を設け、電線導出壁６に突出長さの同じテープ滑り止め用の複数のリブ１２を設けることは有効である。電線導出壁６の形状は、上壁部７が湾曲せずに平面的に形成された樋状のものであってもよい。
【００４８】
また、上記実施形態においては、電気接続箱本体（フレーム２とロアカバー４）に電線導出壁６と電線支持壁２１とを設けた例で説明したが、本発明の電線導出部のテープ巻き構造は電気接続箱１に限らず、例えばワイヤハーネス挿通保護用の不図示の合成樹脂製のハーネスプロテクタにおいても適用可能である。
【００４９】
この場合、ハーネスプロテクタは例えば下側の樋状のプロテクタ本体と上側の断面逆凹字状のカバー（第二のプロテクタ本体）とで成り、係止手段（係止部と係合部）で相互に固定され、プロテクタ本体の端部に樋状（Ｕ字状）の電線導出壁（６）が一体に設けられ、電線導出壁（６）にテープ滑り止め用の複数のリブ（１２）が同じ突出長さで設けられ、カバーに平板状の電線支持壁（２１）が一体に設けられ、電線支持壁（２１）に、先端（２１ａ’）に向かうにつれて漸次突出高さを増したテープ滑り止め用の複数のリブ（２３）が設けられる。電気接続箱本体やプロテクタ本体は中空構造体と総称可能である。
【００５０】
また、上記実施形態においては、電線導出壁６にも二本のリブ１２を設けたが、電線導出壁６にリブ１２を設けず、あるいは電線導出壁６に一本のみリブ１２を設け（電線導出壁６の先端側に設けることが好ましい）、電線支持壁２１のみに少なくとも二本のリブ２３を設け、その先頭のリブ２３1の突出長さを長くすることも可能である。また、電線導出壁６と電線支持壁２１との両方に少なくとも各二本のリブ１２，２３を設け、各二本のうちの各先頭のリブ１２1，２３1の突出長さを長く設定することも可能である。
【００５１】
また、上記実施形態においては、電線支持壁２１の先頭のリブ２３1の突出長さを長く設定したが、他の実施形態として、電線支持壁２１ではなく電線導出壁６の少なくとも二本のリブ１２のうちの先頭のリブ１２1の突出長さを長く設定することも可能である。電線支持壁２１の少なくとも二本のリブ２３は同じ突出長さであり、あるいは電線支持壁２１にリブ２３を設けないこともあり得る。電線支持壁２１は可撓性であることが好ましいが、可撓性を有さない場合もあり得る。電線導出壁６と電線支持壁２１とで成る電線導出部２４がたとえ先細りのテーパ状に形成されていても、あるいはテープ巻きで先細りのテーパ状に傾倒した場合でも、電線導出壁６の先頭の突出長さの長いリブ（１２1）でテープ２７のずれが防止される。テープ巻き状態で電線導出壁６と電線支持壁２１とは平行ないし略平行あるいは先太りのテーパ状であることが好ましい。
【産業上の利用可能性】
【００５２】
本発明に係るテープ巻き用電線導出部構造は、例えば自動車に搭載される電気接続箱の電線導出部を先細りのテーパ状に形成した場合や、電線収容量を吸収するべく電線導出部の電線支持壁を内向きに傾斜状に撓み可能とした場合でも、テープずれを生じ難くして、電線導出部へのワイヤハーネスの固定性を高めると共に、テープずれの隙間から内部への水等を侵入を防ぐために利用することができる。
【符号の説明】
【００５３】
６              電線導出壁
１２1，１２2    リブ
２１            電線支持壁
２３1           先頭のリブ
２３2           二番目のリブ
２６            電線
２７            テープ巻き
２７ａ，２７ｂ  テープ巻き部分
【図１】
0005815267.tif 000002
【図２】
0005815267.tif 000003
【図３】
0005815267.tif 000004
【図４】
0005815267.tif 000005
【図５】
0005815267.tif 000006
【図６】
0005815267.tif 000007